【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
フィルタと、
前記フィルタを、送信経路および受信経路に選択的に接続するコネクタと、
前記フィルタを、前記送信経路および受信経路のうちの一方に前記コネクタを介して選択的に接続するための第１の信号、前記フィルタが前記送信経路に接続されているかそれとも前記受信経路に接続されているかに基づいて、前記フィルタの少なくとも１つのパラメータを設定するための第２の信号、前記フィルタが前記送信経路に接続されているかそれとも前記受信経路に接続されているかに基づいて、前記フィルタに結合されているアンプの利得を設定するための第３の信号、および前記フィルタが前記送信経路に接続されているかそれとも前記受信経路に接続されているかに基づいて、前記アンプおよびフィルタに結合されている別のフィルタのうちの少なくとも１つのパラメータを設定するための第４の信号を生成するコントローラと
を備えることを特徴とする送受信機。
【請求項２】
前記フィルタの前記少なくとも１つのパラメータは、カットオフ周波数、利得、群遅延、および阻止帯域減衰量のうちの少なくとも１つであることを特徴とする請求項１に記載の送受信機。
【請求項３】
前記コントローラは、前記送受信機の動作モードを示すモード信号を生成し、前記コネクタは、前記モード信号に基づいて、前記フィルタを前記送信経路および前記受信経路のうちの一方に接続することを特徴とする請求項１に記載の送受信機。
【請求項４】
前記コントローラは、前記モード信号が送信動作モードを示すときは前記フィルタを前記送信経路に接続し、前記モード信号が受信動作モードを示すときは前記フィルタを前記受信経路に接続することを特徴とする請求項３に記載の送受信機。
【請求項５】
前記コントローラは、前記送受信機の前記動作モードに基づいて前記フィルタの前記少なくとも１つのパラメータを設定することを特徴とする請求項３に記載の送受信機。
【請求項６】
前記コントローラは、前記送受信機が送信モードで動作しているかそれとも受信モードで動作しているかに基づいて、前記フィルタの前記少なくとも１つのパラメータを設定することを特徴とする請求項５に記載の送受信機。
【請求項７】
前記フィルタの前記少なくとも１つのパラメータは、カットオフ周波数、利得、群遅延、および阻止帯域減衰量のうちの少なくとも１つであることを特徴とする請求項５に記載の送受信機。
【請求項８】
前記コントローラは、前記送受信機の動作モードを示す前記モード信号を生成する第１の制御回路と、前記送受信機の前記動作モードに基づいて、前記フィルタの前記少なくとも１つのパラメータを設定する第２の制御回路とを含むことを特徴とする請求項５に記載の送受信機。
【請求項９】
前記コントローラは、前記送受信機が前記送信モードで動作しているときは前記フィルタを第１のカットオフ周波数に設定し、前記送受信機が前記受信モードで動作しているときは前記フィルタを第２のカットオフ周波数に設定することを特徴とする請求項６に記載の送受信機。
【請求項１０】
前記コネクタは、前記フィルタを前記送信経路および受信経路に接続するための切り換え回路を含むことを特徴とする請求項１に記載の送受信機。
【請求項１１】
前記コネクタは、前記フィルタを前記受信経路のベースバンド信号復元部に沿って接続することを特徴とする請求項１に記載の送受信機。
【請求項１２】
前記ベースバンド信号復元部は、１つのダウンコンバージョンのみに基づいて、受信信号からベースバンド信号を復元することを特徴とする請求項１１に記載の送受信機。
【請求項１３】
前記ベースバンド信号復元部は、１つのミキサのみを使用して、受信信号からベースバンド信号を復元することを特徴とする請求項１１に記載の送受信機。
【請求項１４】
前記送信経路および受信経路は、ダイレクト・コンバージョン・アーキテクチャを有することを特徴とする請求項１に記載の送受信機。
【請求項１５】
送信経路および受信経路に選択的に結合されるフィルタを有する送受信機を動作させるためのシステムであって、
前記フィルタを、前記送信経路または受信経路に接続するための第１の信号、
前記フィルタが前記送信経路に接続されているかそれとも前記受信経路に接続されているかに基づいて、前記フィルタの少なくとも１つのパラメータを設定するための第２の信号、
前記フィルタが前記送信経路に接続されているかそれとも前記受信経路に接続されているかに基づいて、前記フィルタに結合されているアンプの利得を設定するための第３の信号、および
前記フィルタが前記送信経路に接続されているかそれとも前記受信経路に接続されているかに基づいて、前記アンプおよびフィルタに結合されている別のフィルタのうちの少なくとも１つのパラメータを設定するための第４の信号
を生成するコントローラを備えることを特徴とするシステム。
【請求項１６】
第１の信号は、前記フィルタを前記送受信機の動作モードに基づいて前記送信経路および受信経路のうちの一方に接続するようにコネクタを制御するための選択信号であることを特徴とする請求項１５に記載のシステム。
【請求項１７】
前記選択信号は、前記送受信機が送信モードで動作しているときは前記フィルタを前記送信経路に接続するように前記コネクタを制御し、前記選択信号は、前記送受信機が受信モードで動作しているときは前記フィルタを前記受信経路に接続するように前記コネクタを制御することを特徴とする請求項１６に記載のシステム。
【請求項１８】
前記コネクタは、前記フィルタを前記送信経路および受信経路に接続するための少なくとも１つのスイッチを含むことを特徴とする請求項１６に記載のシステム。
【請求項１９】
前記フィルタの少なくとも１つのパラメータは、カットオフ周波数、利得、群遅延、および阻止帯域減衰量のうちの少なくとも１つであることを特徴とする請求項１５に記載のシステム。
【請求項２０】
送受信機における信号フィルタリングを制御する方法であって、
フィルタを、送信経路および受信経路に選択的に接続するための第１の信号を生成すること、
前記フィルタが前記送信経路に接続されているかそれとも前記受信経路に接続されているかに基づいて、前記フィルタの少なくとも１つのパラメータを設定するための第２の信号を生成すること、
前記フィルタが前記送信経路に接続されているかそれとも前記受信経路に接続されているかに基づいて、前記フィルタに結合されているアンプの利得を設定するための第３の信号を生成すること、および
前記フィルタが前記送信経路に接続されているかそれとも前記受信経路に接続されているかに基づいて、前記アンプおよびフィルタに結合されている別のフィルタのうちの少なくとも１つのパラメータを設定するための第４の信号を生成すること
を備えることを特徴とする方法。
【請求項２１】
前記第１の信号を生成することは、
前記送受信機の動作モードを決定すること、および
前記動作モードに基づいて、前記第１の信号を生成すること
を含むことを特徴とする請求項２０に記載の方法。
【請求項２２】
前記第１の信号は、前記送受信機が送信モードで動作すると決定されたときは前記フィルタを前記送信経路に接続するように生成され、
前記第１の信号は、前記送受信機が受信モードで動作すると決定されたときは前記フィルタを前記受信経路に接続するように生成される
ことを特徴とする請求項２１に記載の方法。
【請求項２３】
前記フィルタの少なくとも１つのパラメータは、カットオフ周波数、利得、群遅延、および阻止帯域減衰量のうちの少なくとも１つであることを特徴とする請求項２０に記載の方法。
【請求項２４】
前記フィルタは、前記受信経路のベースバンド信号復元経路に沿って位置することを特徴とする請求項２０に記載の方法。
【請求項２５】
前記送受信機は、ダイレクト・コンバージョン送受信機であることを特徴とする請求項２０に記載の方法。
【請求項２６】
送受信機において信号をフィルタリングする方法であって、
フィルタを、送信経路および受信経路に選択的に接続すること、
前記フィルタが前記送信経路に接続されているかそれとも前記受信経路に接続されているかに基づいて、前記フィルタの少なくとも１つのパラメータを設定すること、
前記フィルタが前記送信経路に接続されているかそれとも前記受信経路に接続されているかに基づいて、前記フィルタに結合されているアンプの利得を設定すること、および
前記フィルタが前記送信経路に接続されているかそれとも前記受信経路に接続されているかに基づいて、前記アンプおよび前記フィルタに結合されている別のフィルタのうちの少なくとも１つのパラメータを設定すること
を備えることを特徴とする方法。
【請求項２７】
前記送受信機の動作モードを決定することをさらに含み、
前記接続することおよび設定することは、前記動作モードに基づいて実行されることを特徴とする請求項２６に記載の方法。
【請求項２８】
前記接続することは、
前記送受信機が送信モードのときは前記フィルタを前記送信経路に接続すること、および
前記送受信機が受信モードのときは前記フィルタを前記受信経路に接続すること
を備えることを特徴とする請求項２７に記載の方法。
【請求項２９】
前記フィルタの少なくとも１つのパラメータは、カットオフ周波数、利得、群遅延、および阻止帯域減衰量のうちの少なくとも１つであることを特徴とする請求項２６に記載の方法。
【請求項３０】
前記フィルタは、前記送受信機のベースバンド信号復元部に位置することを特徴とする請求項２６に記載の方法。
【請求項３１】
前記送受信機は、ダイレクト・コンバージョン・アーキテクチャを有することを特徴とする請求項２６に記載の方法。